(57)【要約】【課題】従来の補聴器では、脳に障害を有する人や、一部の聴力障害者には、十分な了解度が得られない場合が多い。【解決手段】上記の課題を解決するために、本発明の補聴器は、入力音声信号の少なくとも一部を単一又は複数の帯域信号に分けて雑音化した劣化雑音音声信号とし、利用者が聴取するようにした補聴器は、脳の活性化を促し、脳障害者の治療や訓練に効果が期待される。また、かかる補聴器は、脳の健全な部分を最大限に利用して劣化雑音音声信号を認識させ、他の健全な脳の部分で劣化雑音音声信号を補わせて、入力された音声の意味を難聴者に理解させるようにしたものである。【選択図】図１
2004135068.tif 000002
【特許請求の範囲】
【請求項１】
入力音声信号の少なくとも一部を帯域信号に分けて雑音化した劣化雑音音声信号を構成し、出力する補聴器。
【請求項２】
入力音声信号の少なくとも一部を複数の帯域信号に分け、それぞれを雑音化して劣化雑音音声信号を構成し、出力する補聴器。
【請求項３】
音源信号から、複数の帯域濾波器を有する第１の帯域濾波部により、所定の帯域の信号を抽出し、包絡線抽出器を有する包絡線抽出部により各帯域信号の包絡線を抽出し、雑音源信号を複数の帯域濾波器を有する第２の帯域濾波部に加えて、上記所定の帯域に対応する雑音信号を抽出し、第１の帯域濾波部と第２の帯域濾波部の出力を乗算部において乗算し、乗算部の出力を加算部において累算して、音源信号の成分を雑音化した劣化雑音音声信号を作成するようにした請求項１または請求項２いずれか記載の補聴器。
【請求項４】
帯域信号を分ける帯域濾波器の数、周波数帯域境界の周波数のうち少なくとも一方を少なくとも言語によって変更できるようにした請求項１から請求項３いずれか記載の補聴器。
【請求項５】
帯域信号を分ける帯域濾波器の数、周波数帯域境界の周波数のうち少なくとも一方を言語自動認識により変更できるようにした請求項１から請求項３いずれか記載の補聴器。
【請求項６】
音声信号の少なくとも一部を帯域信号に分けて雑音化した劣化雑音音声信号を出力し、訓練生の回答を受け付け、当該回答の正誤を出力する訓練装置。
【請求項７】
音声信号の少なくとも一部を複数の帯域信号に分け、それぞれを雑音化した劣化雑音音声信号を出力し、訓練生の回答を受け付け、当該回答の正誤を出力する訓練装置。
【請求項８】
音源信号から、複数の帯域濾波器を有する第１の帯域濾波部により、所定の帯域の信号を抽出し、包絡線抽出器を有する包絡線抽出部により各帯域信号の包絡線を抽出し、雑音源信号を複数の帯域濾波器を有する第２の帯域濾波部に加えて、上記所定の帯域に対応する雑音信号を抽出し、第１の帯域濾波部と第２の帯域濾波部の出力を乗算部において乗算し、乗算部の出力を加算部において累算して、音源信号の成分を雑音化した劣化雑音音声信号を作成するようにした請求項６または請求項７いずれか記載の訓練装置。
【請求項９】
帯域信号を分ける帯域濾波器の数、周波数帯域境界の周波数のうち少なくとも一方を少なくとも言語によって変更できるようにした請求項６から請求項８いずれか記載の訓練装置。
【請求項１０】
帯域信号を分ける帯域濾波器の数、周波数帯域境界の周波数のうち少なくとも一方を言語自動認識により変更できるようにした請求項６から請求項８いずれか記載の訓練装置。
【請求項１１】
音声信号の少なくとも一部を帯域信号に分けて雑音化した劣化雑音音声信号を出力し、遊戯者の回答を受け付け、当該回答の正誤を出力するゲーム装置。
【請求項１２】
音声信号の少なくとも一部を複数の帯域信号に分け、それぞれを雑音化した劣化雑音音声信号を出力し、遊戯者の回答を受け付け、当該回答の正誤を出力するゲーム装置。
【請求項１３】
音源信号から、複数の帯域濾波器を有する第１の帯域濾波部により、所定の帯域の信号を抽出し、包絡線抽出器を有する包絡線抽出部により各帯域信号の包絡線を抽出し、雑音源信号を複数の帯域濾波器を有する第２の帯域濾波部に加えて、上記所定の帯域に対応する雑音信号を抽出し、第１の帯域濾波部と第２の帯域濾波部の出力を乗算部において乗算し、乗算部の出力を加算部において累算して、音源信号の成分を雑音化した劣化雑音音声信号を作成するようにした請求項１１または請求項１２いずれか記載のゲーム装置。
【請求項１４】
帯域信号を分ける帯域濾波器の数、周波数帯域境界の周波数のうち少なくとも一方を少なくとも言語によって変更できるようにした請求項１１から請求項１３いずれか記載のゲーム装置。
【請求項１５】
帯域信号を分ける帯域濾波器の数、周波数帯域境界の周波数のうち少なくとも一方を言語自動認識により変更できるようにした請求項１１から請求項１３いずれか記載のゲーム装置。
【請求項１６】
音源信号から、複数の帯域濾波器を有する第１の帯域濾波部により、所定の帯域の信号を抽出し、包絡線抽出器を有する包絡線抽出部により各帯域信号の包絡線を抽出し、雑音源信号を複数の帯域濾波器を有する第２の帯域濾波部に加えて、上記所定の帯域に対応する雑音信号を抽出し、第１の帯域濾波部と第２の帯域濾波部の出力を乗算部において乗算し、乗算部の出力を加算部において累算して、音源信号の成分を雑音化した劣化雑音音声信号を作成するようにした音出力装置であって、帯域信号を分ける帯域濾波器の数、周波数帯域境界の周波数のうち少なくとも一方を少なくとも言語によって変更できるようにした音出力装置。
【請求項１７】
帯域信号を分ける帯域濾波器の数、周波数帯域境界の周波数のうち少なくとも一方を言語自動認識により変更できるようにした請求項１６の音出力装置。
【請求項１８】
入力信号の中から音声成分のみを抽出する音声信号抽出器を有し、前記入力音声信号の少なくとも一部は、前記音声信号抽出器が抽出した音声成分の信号である請求項１から請求項５いずれか記載の補聴器。
【請求項１９】
信号の中から音声成分のみを抽出する音声信号抽出器を有し、前記音声信号の少なくとも一部は、前記音声信号抽出器が抽出した音声成分の信号である請求項６から請求項１０いずれか記載の訓練装置。
【請求項２０】
信号の中から音声成分のみを抽出する音声信号抽出器を有し、前記音声信号の少なくとも一部は、前記音声信号抽出器が抽出した音声成分の信号である請求項１１から請求項１５いずれか記載のゲーム装置。
【請求項２１】
音源信号の中から音声成分のみを抽出する音声信号抽出器を有し、前記第１の帯域濾波部が抽出する元の音源信号が前記音声信号抽出器が抽出した音声成分の信号である請求項１６から請求項１７いずれか記載の音出力装置。
【発明の詳細な説明】
【０００１】
【発明の属する技術分野】
本発明は、音声信号の少なくとも一部の帯域信号を雑音化した劣化雑音音声を使用した補聴器、聴力訓練装置、ゲーム装置等に関する。特に、脳障害者、脳障害回復訓練指導者向けに適した装置等に関する。
【０００２】
【従来の技術】
従来、補聴器として、聴力障害者の残った聴力特性にあわせて、音声入力に対して周波数特性補償やダイナミックレンジの制限を施して、了解度を改善しようとするものがある。脳に障害を有する人に対しては、このような補聴器では、十分な了解度が得られない場合がある。
【０００３】
一方、音声信号の認識研究において、音声信号をそのまま聞かずとも、音声信号の成分を所定の方法で雑音化しても、言葉をかなり認識できることが分かってきている。かかる技術は、例えば、非特許文献１や非特許文献２や非特許文献３に記載されている。
【０００４】
かかる文献によれば、音声信号を４つの周波数帯域（０〜６００、６００〜１５００、１５００〜２５００、２５００〜４０００Ｈｚ）に分けて、それぞれの音声信号を半波整流し、１６Ｈｚのローパスフィルタにかけて、各周波数帯の振幅包絡をもとめ、各周波数帯域に対応したバンドノイズを掛け合わせた信号を足し合せた信号を作成する。このような信号を劣化雑音音声という。劣化雑音音声を正常な聴力を有する被験者に聞かせたところ約８０％の了解度が得られたことが報告されている。
【０００５】
【非特許文献１】
Ｓｈａｎｎｏｎ，　Ｒ．Ｖ．，ｅｔ．ａｌ，「Ｓｐｅｅｃｈ　Ｒｅｃｏｇｎｉｔｉｏｎ　ｗｉｔｈ　Ｐｒｉｍａｒｉｌｙ　Ｔｅｍｐｏｒａｌ　Ｃｕｅｓ｜，ＳＩＥＮＣＥ、１９９５年、２７０号、ｐ．３０３−３０５
【非特許文献２】
小畑宣久、力丸裕「経時的振幅変化に着目した周波数成分劣化音声知覚の検討｜，日本音響学会聴覚研究会資料、１９９９年、Ｈ−９９−６、
【非特許文献３】
小畑宣久、力丸裕「帯域雑音により合成された日本語音声の了解度−聴覚中枢新家の機能を利用したスピーチプロセッサを目指して−｜，日本音響学会聴覚研究会資料、２０００年、Ｈ−２０００−３
【０００６】
【発明が解決しようとする課題】
しかしながら、従来の補聴器では、脳に障害を有する人や、一部の聴力障害者には、十分な了解度が得られない場合が多い。このような人に対しても効果があり、さらには、脳の活動を活性化することのできる補聴器を提供する必要がある。また、脳に障害を有する人や、一部の聴力障害者の聴力を訓練する聴力訓練装置を提供する必要がある。さらに、健全な聴力を有する人が、脳に障害を有する人が発生する言語を認識する訓練をする必要がある。
【０００７】
【課題を解決するための手段】
上記の課題を解決するために、本発明の補聴器、訓練装置、ゲーム装置は、以下のような手段を採用する。
【０００８】
（１）入力音声信号の少なくとも一部を単一又は複数の帯域信号に分けて雑音化した劣化雑音音声信号とし、利用者が聴取するようにした補聴器は、脳の活性化を促し、脳障害者の治療や訓練に効果が期待される。また、かかる補聴器は、脳の健全な部分を最大限に利用して劣化雑音音声信号を認識させ、他の健全な脳の部分で劣化雑音音声信号を補わせて、入力された音声の意味を難聴者に理解させるようにしたものである。
【０００９】
（２）音声信号の少なくとも一部を単一又は複数の帯域信号に分けて雑音化した劣化雑音音声信号を訓練生に提示し、訓練生は認識した内容を回答し、訓練生は正誤を学習するようにした訓練装置は、脳の活動の活性化を促す効果がある。訓練生の言語理解の訓練や、指導者の立場では、指導能力向上のための訓練に役立つ。また、上記（１）と同様に、かかる補聴器は、脳の健全な部分を最大限に利用して劣化雑音音声信号を認識させ、他の健全な脳の部分で劣化雑音音声信号を補わせて、入力された音声の意味を難聴者に理解させるようにしたものである。
【００１０】
（３）音声信号の少なくとも一部を単一又は複数の帯域信号に分けて雑音化した劣化雑音音声信号を遊戯者に提示し、遊戯者は認識した内容を回答し、正誤率や正誤数を競うようにしたゲーム装置は、脳の活動の活性化を促す効果がある。訓練生の言語理解の訓練や、指導者の立場では、指導能力向上のための訓練に役立つ。また、訓練とは別に、劣化雑音音声から言葉や文章を当てるゲームとして、健常者用のゲーム装置にもなる。
【００１１】
（４）音源信号から、複数の帯域濾波器を有する第１の帯域濾波部により、所定の帯域の信号を抽出し、包絡線抽出器を有する包絡線抽出部により各帯域信号の包絡線を抽出し、雑音源信号を複数の帯域濾波器を有する第２の帯域濾波部に加えて、上記所定の帯域に対応する雑音信号を抽出し、第１の帯域濾波部と第２の帯域濾波部の出力を乗算部において乗算し、乗算部の出力を加算部において累算して、音源信号の成分を雑音化した劣化雑音音声信号を作成するようにしている。帯域濾波器の数や帯域の周波数境界を選択したり、変更したりできるようにしておけば、種々の目的に使用することが可能な音出力装置になる。また、自動言語認識によって、その言語に適した帯域濾波器の数や帯域の周波数境界を選択したり、変更したりすれば、複数の国籍の人々に使用可能となり、外国語の訓練にも使用できる。
【００１２】
（５）上記、補聴器、訓練装置、ゲーム装置は、コンピュータプログラムなどの手順として実行可能であるので、コンピュータに機能させるためのプログラムを記録したプログラム記録媒体やコンピュータに機能させるためのプログラムとしてよい。
【００１３】
【発明の実施の形態】
以下、補聴器等の実施形態について図面を参照して説明する。なお、実施の形態において同じ符号を付した構成要素は同様の動作を行うので、再度の説明を省略する場合がある。
【００１４】
（実施の形態１）
図１は、本発明の補聴器のブロック図である。図１において、マイクロフォンからの入力音声信号が、入力端子７を経て帯域濾波部１に印加される。帯域濾波部１は、所定の帯域の信号を抽出する複数の帯域濾波器１ａ、１ｂ、１ｃ、１ｄを有する。各帯域濾波器１ａ、１ｂ、１ｃ、１ｄの出力信号は、包絡線抽出部２の包絡線抽出器２ａ、２ｂ、２ｃ、２ｄにそれぞれ印加され各帯域信号の包絡線を抽出する。雑音源５の出力する雑音信号は、複数の帯域濾波器４ａ、４ｂ、４ｃ、４ｄを有する帯域濾波部４に印加され、帯域濾波部１と同様の周波数帯域を有する雑音信号に分波される。包絡線抽出器２ａ、２ｂ、２ｃ、２ｄと帯域濾波器４ａ、４ｂ、４ｃ、４ｄの出力は、乗算器３ａ、３ｂ、３ｃ、３ｄを有する乗算部３において、対応する帯域毎に乗算され乗算結果は、加算部６において累算され、出力端子８において出力信号となる。
【００１５】
このようにして作成した劣化雑音音声を、イヤフォンにより聞かせると、一部の難聴者（例えば、脳障害などを有する難聴者）では、従来の補聴器よりも了解度が改善される場合があるので、補聴器として使用できる。具体的には、脳障害者に、健全な脳の箇所を利用して劣化雑音音声を認識させ、当該認識できる音声情報の一部を脳（上記の健全な脳の箇所とは一般的に異なる）で補わせて入力音声を理解させることができる。つまり、上述の補聴器によれば、健全な脳の部分の最大限に有効に利用させて、聴力を蘇らせてやることができる。
【００１６】
さらに、このような劣化雑音音声は、また、脳障害者の脳の活動を活性化することが期待され、聴力補償の機能だけでなく、障害のある脳の回復訓練や治療の効果も期待できる。また、脳に障害が無く、外耳、中耳の伝音系や、内耳の感音系から中枢にいたる途中に障害がある難聴者の場合は、劣化雑音音声により、脳が途中の障害を補う働きを強めさせることができ、了解度を改善させることができる。
【００１７】
次に、補聴器の変形について説明する。たとえば、難聴者において、ある周波数帯域の感度が落ちている場合などでは、その周波数に対する感度低下の特性を補償するような周波数特性を、各帯域濾波器の周波数特性に持たせるようにすればよい。また、聞き取れる音量領域に制限が現れていて、小音量では聞き取れず、大音量では歪んで認識できないような場合は、乗算部３の各乗算器３ａ、３ｂ、３ｃ、３ｄに、ダイナミックレンジを適正に補正する非線型乗算特性を持たせるようにすればよい。
【００１８】
図１では、４つの周波数帯域の音声信号のすべてを帯域雑音信号に置き換えたが、一部の周波数帯域の音声信号は乗算部３に加えずに、直接加算器６に加えるようにして、音声信号成分を残してもよい。音声信号成分を残す周波数帯域に対しても、聴力障害の周波数特性やダイナミックレンジの劣化に対応した、それぞれの補正を行なってもよい。
【００１９】
以上、本実施の形態によれば、入力音声信号の少なくとも一部を単一又は複数の帯域信号に分けて雑音化した劣化雑音音声信号とし、利用者が聴取するようにした補聴器を提供し、当該補聴器により脳の活性化を促し、脳障害者の治療や訓練に効果が期待される。
【００２０】
（実施の形態２）
図２は、本発明の劣化雑音音声を用いた訓練装置のブロック図である。図２において、帯域濾波部１、包絡線抽出部２、乗算部３、帯域濾波部４、雑音源５、加算部６は図１と同様の構成である。音源信号部１０には、種々の言葉や文章の音声信号が記憶されている。音源選択制御部１１は、音源信号部１０に制御信号を加えて所定の言葉や文章の音声信号を選択、指定する。音源信号部１０は、指定された言葉や文章の音声信号を帯域濾波部１に出力する。出力端子８からは、その言葉や文章の劣化雑音音声信号が得られる。これを、訓練生に聞かせる。指導者は、音源選択制御部１１を訓練プログラムにしたがって操作して、順次、言葉や文章を聞かせ、訓練生は劣化雑音音声を聴いて、認識した言葉や文章を指導者に口頭で回答し、指導者は、正誤を判定してその結果を訓練生に知らせ、次のステップに進む。訓練生は、正誤を知ることにより学習をする。指導者は正誤の状況に応じて、次に与える言葉や文章を選択する。
【００２１】
帯域濾波部１、４の各帯域濾波器の周波数帯域は、０〜６００Ｈｚ、６００〜１５００Ｈｚ、１５００〜２５００Ｈｚ、２５００〜４０００Ｈｚを標準的なものとする。帯域選択部１２は、帯域濾波部１、４の上記各周波数帯域を切り替えることができる。たとえば、周波数帯域の数を１、２、３、４の内から選択できる。これは、母音、子音、破裂音など、言葉によっては、４つの周波数帯域を必要としない場合があるからである。たとえば、帯域濾波器１ｃ、１ｄ、４ｃ、４ｄの出力を０とすることにより、周波数帯域の数を２とすることができる。また、全部、あるいは任意の一部の帯域濾波器について、その周波数帯域の間の境界周波数を６００Ｈｚ、１５００Ｈｚ、２５００Ｈｚ、４０００Ｈｚとは別の周波数に切換選択できる。６００Ｈｚ、１５００Ｈｚ、２５００Ｈｚ、４０００Ｈｚは、第１フォルマントと第２フォルマントによって、音声の母音、日本語では、／ａ／、／ｉ／、／ｕ／、／ｅ／、／ｏ／を分離する周波数境界の標準的なものに近い値である。しかし、この周波数境界は、人によって少し異なっている場合がある。このような個人差に対応して、周波数帯域の境界を調整、変更することにより訓練効果がよくなることが期待されるので、このために切換選択できるようにしておく。また、外国語では、母音の体系が日本語の場合とは異なるものがあるので、外国語に対応するように帯域濾波器の数や境界周波数を切り替えられるようにしてもよい。
【００２２】
外国語対応をする場合は、言語自動認識部を設けておき、訓練生や指導者が最初にマイクロフォンに入力した言葉や文章を自動認識して、言語自動認識部が国名データを帯域選択部１２に与えて、帯域選択部１２が、その国の言葉に対応した帯域濾波器数と周波数帯域境界を、帯域濾波部１と４に設定させるようにしてもよい。
【００２３】
なお、上記、帯域濾波器数と周波数帯域境界の選択や切換、言語自動認識による帯域濾波器数と周波数帯域境界の選択や切換は、実施の形態１で説明した補聴器にも適用することができる。
【００２４】
以上、本実施の形態によれば、上述の訓練装置により、脳の活動の活性化を促す効果がある。訓練生の言語理解の訓練や、指導者の立場では、指導能力向上のための訓練に役立つ。
【００２５】
（実施の形態３）
図３は、本発明の劣化雑音音声を用いた訓練装置のブロック図である。本ブロック図を説明するに際し、図２と異なる部分について説明する。加算部６の出力する劣化雑音音声は、ヘッドフォン１３により訓練生に提示する。音源選択制御部１１は、音源信号選択機能のほかに、表示信号発生制御機能を有し、訓練生に対する指示や、劣化雑音音声による言葉や文章の回答を、文字で表示装置１４の画面上に表示する。回答入力部１５は、認識した言葉や文章を入力するキーボードである。回答入力部１５からの情報信号は、音源選択制御部１１に伝えられ、音源選択制御部１１は、回答内容を分析し、回答結果にしたがって、次に提示する言葉や文章を選択する。
【００２６】
音源選択制御部１１には、訓練プログラムが組み込まれている。たとえば、１０個の基本的な言葉や文章を１組として、順次、１つずつ提示し、訓練生は、その劣化雑音音声を聴き、回答入力装置１５に、認識した回答をかな文字で入力する。音源選択制御部１１は、正誤をカウントしておき、正答を表示装置１４に表示し、同時に、劣化雑音音声を再度提示する。１０個の提示と回答が終わったら正解率を表示する。最後に、１０個の課題を再度提示して、確認させる。このようにすれば、訓練生は、指導者がいなくとも自習できる。音源選択制御部１１は、正解率に応じて、次に適切な難易度の課題プログラムを開始する。
【００２７】
劣化雑音音声を提示する際に、その音声を文字によって表示装置に表示してもよい。たとえば、正解と、それに近い一部誤った、聞き誤りし易い文章を複数個表示し、訓練生は、正しいと思うものの番号を、回答入力部１５に入力するようにしてもよい。
【００２８】
実施の形態２において説明した、帯域濾波部１、４内の帯域濾波器の選択や、帯域周波数境界の選択、切換や、言語自動認識部による、選択、切換を、本実施の形態において適用してもよい。
【００２９】
以上、本実施の形態によれば、上述の訓練装置により、訓練生は自発的に訓練ができる。
【００３０】
（実施の形態４）
上記図３の構成による学習手順は、一種のゲームでもある。上記構成を基本として、ゲーム装置を実現することができる。最初に、ゲームのタイトルや難易度選択画面を表示し、遊戯者が難易度を回答入力部１５から選択し、音源選択制御部１１は、選択された難易度の言葉や文章の劣化雑音音声を選択して提示する。正答率の記録や正答数などをゲーム中にも表示装置１４に表示してゆく。高得点が得られたら表示部に面白い画面がご褒美として現れ、遊戯者が楽しめるようにする。一定時間内に何問答えられ、何問の正解が出るかを競うようにすることもできる。このようなゲームの場合、障害者向けでもよいし、正常者向けのゲーム装置とすることもできる。対象者によって、提示内容、提示速度、提示画面は、適切なものにすることができる。
【００３１】
遊戯者が、ゲームの難易度の選択を、帯域選択部１２を操作して行なってもよい。たとえば、帯域濾波器の数を１〜４個の内から選択する。４個の場合の方が、１個の場合よりも、元の言葉や文章をより正しく判別し易いので、ゲームの難易度レベルの遊戯者が選択できることになる。
【００３２】
（実施の形態５）
以下、補聴方法の実施の形態について説明する。図４は、本発明の補聴器の機能を実施する方法のフローチャートの一例である。
【００３３】
音声入力手順（Ｓ１０）において、補聴器のマイクロフォンからの入力音声信号をＡＤ変換し、帯域濾波手順（Ｓ１２）に音声データを渡す準備を行なっている。この手順は、以降定常的に行なう。次に、帯域選択手順（Ｓ１１）において、以降の帯域濾波手順（Ｓ１２）と（Ｓ１４）が行なう帯域濾波の帯域周波数の数や帯域周波数の境界周波数の変更や設定を必要に応じて行なう。この手順は、使用者の操作がある場合に実行する。操作が無ければ手順を飛ばす。次に、帯域濾波手順（Ｓ１２）において、設定された帯域濾波の帯域周波数の数や帯域周波数の境界周波数にもとづいて、音声データを濾波する。濾波された音声データは、包絡抽出手順（Ｓ１３）において、その包絡成分データが抽出される。次に、帯域濾波手順（Ｓ１４）において、ホワイトノイズの雑音信号を、上記設定された帯域濾波の帯域周波数の数や帯域周波数の境界周波数にしたがって濾波し、帯域雑音信号データを生成する。包絡成分データと帯域雑音信号データは、つぎの乗算手順（Ｓ１５）において乗算され、乗算結果が複数の帯域分ある場合は、加算手順（Ｓ１６）において累算する。累算した音声データは、劣化雑音音声データである。これを、信号提示手順（Ｓ１７）において、ＤＡ変換しアナログ音声信号としてイヤフォンより使用者に提示し、聴取してもらう。
【００３４】
（Ｓ１０）〜（Ｓ１７）の各手順は、図４のように順次実行してもよいし、それぞれ並列的に実行してもよい。それらの手順は、デジタル信号プロセッサ（ＤＳＰ）のプログラムの形式で実現できる。
【００３５】
また、（Ｓ１１）から（Ｓ１６）の手順は、劣化雑音音声作成手順（Ｓ１００）を構成する。
【００３６】
帯域選択手順（Ｓ１１）において、日本語、英語、ドイツ語、中国語などの言語自動認識手順を備えて、認識した言語にあった周波数帯域の数と周波数帯域の間の境界周波数を選択するようにしてもよい。言語自動認識の技術は、公知技術であるので、ここでの詳細な説明は省略する。
【００３７】
（実施の形態６）
以下、訓練方法の実施の形態について説明する。図５は、本発明の訓練装置の機能を実現する手順のフローチャートの一例である。
【００３８】
訓練プログラムをスタートさせると、音源選択手順（Ｓ２０）において、音源信号データから、提示すべき所定の言葉や文章のデータを選択し、劣化雑音音声作成手順（Ｓ１００）に与える。劣化雑音音声作成手順（Ｓ１００）は、劣化雑音音声データを作成する。作成した劣化雑音音声データは、劣化雑音音声提示手順（Ｓ２１）において、アナログの音声信号に変換してヘッドフォンにより、訓練生に聞かせる。回答手順（Ｓ２２）において、訓練生は、聴取した劣化雑音音声を認識して理解した言葉や文章を回答入力部１５に入力する。評価装置は、入力された回答データを回答評価手順（Ｓ２３）において、正答かどうかを評価判定し、正解提示手順（Ｓ２４）において、表示装置に、正誤の結果や正しい言葉や文章を表示する。以上で、一つの設問についての訓練が終わる。この手順を順次繰り返せば、一連の設問から成る一組の訓練プログラムメニューが実行できる。
【００３９】
（実施の形態７）
以下、ゲーム方法の実施の形態について説明する。図５の訓練装置手順の正解提示手順（Ｓ２４）において、正解率や正答得点などを表示すれば、ゲーム方法手順となる。
【００４０】
（実施の形態８）
図１の補聴器では、マイクロフォンからの入力信号が、入力端子７を経て帯域濾波部１に印加されるようにしたが、入力信号に音声成分とともに周囲雑音成分が含まれる場合がある。このような場合には、図６のような構成にしてもよい。図６において、マイクロフォンからの入力端子７に印可された入力信号は、音声信号抽出部９を経て帯域濾波部１に印加される。音声信号抽出部９は、周囲雑音などを含む入力信号から、音声信号を抽出する機能を有する。このために、例えば、スペクトルサブトラクションのような手法で、入力信号中に含まれる音声信号以外の雑音成分を抑圧するような構成とする。
【００４１】
（実施の形態９）
図２の訓練装置や図３の訓練装置、および、ゲーム装置において、音源信号部１０の信号が音声成分以外の周囲雑音を含む場合は、図６において説明した音声信号抽出部９を経て帯域濾波部１に印加するようにしてもよい。また、２人の内のひとりが、マイクロフォンから言葉や文章を入力して、もうひとりが、その劣化雑音音声を聞き、元の言葉や文章を言い当てるような訓練装置やゲーム装置では、周囲の雑音が混入することがあるので、音声信号抽出部９を設けることが好ましい。
【００４２】
（実施の形態１０）
図７は、図３の訓練装置、または、ゲーム装置の音源信号部１０に、あらかじめ音声信号を劣化雑音音声に変換した信号を記憶しておき、その出力信号をヘッドフォン１３により、訓練生に聞かせるものである。したがって、図３の帯域濾波部１、４、包絡抽出部２、乗算部３、雑音源５、加算部６、帯域選択部１２は、備えなくともよいことになる。図２の訓練装置においても、同様の構成をとることが出来る。
【００４３】
なお、上記のすべての実施の形態では、帯域濾波部１、２の帯域濾波器の数を、典型例として４個としたが、その数は、４個に限定されるものではなく、４個以下、以上でもよく、その時々に必要に応じた帯域数で実施すればよい。
【００４４】
なお、本発明の補聴方法手順、訓練方法手順、ゲーム方法手順のプログラムを記録した記録媒体は、プログラムを記録したＲＯＭ、ＲＡＭ、フレキシブルディスク、ＣＤ−ＲＯＭ、ＤＶＤ、メモリカード、ハードディスクなどの記録媒体をいう。また、電話回線、搬送路などの通信媒体も含む概念である。
【００４５】
【発明の効果】
以上のように、本発明によれば、通常音声を劣化雑音音声に変換して聴取する補聴器により、障害者の脳の活性化を促し、脳機能の強化、回復、言語理解の増進が期待できる。
【００４６】
また、通常音声を劣化雑音音声に変換して聴取する訓練装置により、障害者の脳の活性化を促し、脳機能の強化、回復、言語理解の訓練が行なえ、訓練者、訓練生にとって、有効な訓練が期待できる。
【００４７】
さらに、通常音声を劣化雑音音声に変換して聴取するゲーム装置により、障害者の脳の活性化を促し、脳機能の強化、回復、言語理解の訓練がゲームにより楽しく行なえ、訓練者、訓練生にとって、有効な訓練が期待できる。また、健常者用のゲームとしても使用でき、多様な活用が可能である。
【図面の簡単な説明】
【図１】本発明の一実施形態による補聴器のブロック図
【図２】本発明の一実施形態による訓練装置のブロック図
【図３】本発明の一実施形態による訓練装置やゲーム装置のブロック図
【図４】本発明の一実施形態による補聴器の動作を示すフローチャート
【図５】本発明の一実施形態による訓練装置、ゲーム装置の動作を示すフローチャート
【図６】本発明の一実施形態による補聴器のブロック図
【図７】本発明の一実施形態による訓練装置のブロック図
【符号の説明】
１、４　帯域濾波部
２　包絡抽出部
３　乗算部
５　雑音源
６　加算部
７　入力端子
８　出力端子
９　音声信号抽出部
１０　音源信号部
１１　音源選択制御部
１２　帯域選択部
【図１】
2004135068.tif 000003
【図２】
2004135068.tif 000004
【図３】
2004135068.tif 000005
【図４】
2004135068.tif 000006
【図５】
2004135068.tif 000007
【図６】
2004135068.tif 000008
【図７】
2004135068.tif 000009